(57)【要約】【課題】カメラ付きの携帯電子機器において、デジタルカメラとしても取り扱えるようにする。【解決手段】操作部１１を有する本体部１と、本体部１の操作部１１を有する面側に重ねられ、一面側に表示部２１を有する蓋部２とを備える携帯電子機器である。そして、蓋部２を支持するとともに、本体部１に対し操作部１を有する面に沿った方向に蓋部２を回転させるように回転自在に組み付けられた回転部４と、本体部１の操作部１１を有する面と反対側面に設けられたカメラ部３１とを備える。さらに、蓋部２を回転部４に対し、本体部１に対する回転部４の回転中心４ａと直角をなす線を中心として回動可能にヒンジ結合（５）する。また、本体部１の側面にシャッターボタン３３を設ける。【選択図】図１
2005150799.tif 000002
【特許請求の範囲】
【請求項１】
操作部を有する本体部と、
本体部の操作部を有する面側に重ねられ、一面側に表示部を有する蓋部とを備える携帯電子機器であって、
本体部の操作部を有する面と反対側面に設けられたカメラ部とを備えることを特徴とする携帯電子機器。
【請求項２】
前記蓋部を支持するとともに、前記本体部に対し前記操作部を有する面に沿った方向に前記蓋部を回転させるように回転自在に組み付けられた回転部を備え、
前記蓋部を前記回転部に対し、前記本体部に対する回転部の回転中心と直角をなす線を中心として回動可能にヒンジ結合したことを特徴とする請求項１に記載の携帯電子機器。
【請求項３】
前記本体部の側面にシャッターボタンを備えることを特徴とする請求項１または２に記載の携帯電子機器。
【発明の詳細な説明】
【技術分野】
【０００１】
本発明は、カメラ部を有する携帯電子機器に関する。
【背景技術】
【０００２】
キー入力操作を行う操作部を有する本体部を連結部の一端側にヒンジ結合して、表示部を有する蓋部を連結部の他端側にヒンジ結合した折り畳み式携帯電話機において、連結部にカメラ部を設けたものがある（例えば特許文献１参照）。
【特許文献１】特開２００２−１９８８４９号公報
【発明の開示】
【発明が解決しようとする課題】
【０００３】
従来は、携帯電話機にカメラを付加した構成であり、折り畳み式にして携帯電話機としての取り扱い性に配慮が図られているが、カメラとしての取り扱い性についての配慮は乏しいものとなっていた。
【０００４】
本発明の課題は、カメラ付きの携帯電子機器において、デジタルカメラとしても取り扱えるようにすることである。
【課題を解決するための手段】
【０００５】
以上の課題を解決するため、請求項１に記載の発明は、例えば図１から図３に示すように、操作部１１を有する本体部１と、本体部１の操作部１１を有する面側に重ねられ、一面側に表示部２１を有する蓋部２とを備える携帯電子機器であって、本体部１の操作部１１を有する面と反対側面に設けられたカメラ部３１とを備えることを特徴とする。
【０００６】
請求項１に記載の発明によれば、一面側に表示部を有する蓋部が重ねられる本体部の操作部を有する面と反対側面にカメラ部を設けたので、本体部に対する蓋部の位置を変えて、蓋部の表示部と本体部のカメラ部を同じ方向に向けたり反対側に向けられる。
これにより、片手で持ってデジタルカメラとして使用可能となる。
【０００７】
請求項２に記載の発明は、請求項１に記載の携帯電子機器であって、例えば図１から図３に示すように、前記蓋部２を支持するとともに、前記本体部１に対し前記操作部１１を有する面に沿った方向に前記蓋部２を回転させるように回転自在に組み付けられた回転部４を備え、前記蓋部２を前記回転部４に対し、前記本体部１に対する回転部４の回転中心４ａと直角をなす線を中心として回動可能にヒンジ結合（５）したことを特徴とする。
【０００８】
請求項２に記載の発明によれば、請求項１に記載の発明の構成に加え、本体部に対し操作部を有する面に沿った方向に蓋部を回転させるように組み付けた回転部に対し、その回転中心と直角をなす線を中心として回動可能に蓋部をヒンジ結合したことにより、蓋部が本体部に対し操作部を有する面に沿った方向に回転して任意の位置をとれる他、本体部に対し蓋部の表示部を有する面とその裏面とのいずれも重ねて折り畳める。
従って、様々な形態の使用状態が選べる。
【０００９】
請求項３に記載の発明は、請求項１または２に記載の携帯電子機器であって、例えば図１から図３に示すように、前記本体部１の側面にシャッターボタン３３を備えることを特徴とする。
【発明の効果】
【００１０】
本発明によれば、本体部に対する蓋部の位置を変えて、蓋部の表示部と本体部のカメラ部を同じ方向に向けたり反対側に向けられるため、片手で持ってデジタルカメラとして使用できる。従って、蓋部の裏面側にサブ表示部を必要としない。
また、蓋部が本体部に対し操作部を有する面に沿った方向に回転して任意の位置をとれる他、本体部に対し蓋部の表示部を有する面とその裏面とのいずれも重ねて折り畳めるようにして、様々な形態の使用状態を選択することが可能になる。
【発明を実施するための最良の形態】
【００１１】
以下、図を参照して本発明を実施するための最良の形態を詳細に説明する。
本体部１は、一面１ａ側にカメラキー等を含む各種入力キー及びテンキー等による操作部（入力部）１１を備えている。図１（ａ）及び（ｂ）と図２（ｂ）に示すように、本体部１の操作部１１を有する面１ａ上の長手方向に沿って蓋部２が重ねられる。これら本体部１及び蓋部２は、その重ねられた状態の長手方向一端側において、回転部４及びヒンジ部５を介して互いに回動自在に組み付けられている。
【００１２】
蓋部２は、本体部１を覆う大きさであり、図１（ｃ）と図２（ａ）及び図３（ａ）に示すように、その一面２ａ側に表示部２１を備えている。
また、本体部１の操作部１１を有する面１ａと反対側面には、図１（ａ）と図２（ｂ）及び図３（ｂ）に示すように、カメラ部３１及びフラッシュ用ＬＥＤ（発光部材）３２が並べて備えられている。これらカメラ部３１及びフラッシュ用ＬＥＤ３２は、操作部１１の一側方に離れた裏側に位置している。さらに、本体部１の一側面にはシャッターボタン３３が備えられている。このシャッターボタン３３は、カメラ部３１及びフラッシュ用ＬＥＤ３２に対し他側方に位置している。
【００１３】
回転部４は、本体部１に対しカメラ部３１の光軸と同一軸線上を中心４ａとして操作部１１の側方位置で回転自在に組み付けられている。この回転部４には、その回転中心４ａと直角をなす線を中心とするヒンジ部５により蓋部２が長手方向一端部で回動自在に結合されている。蓋部２の端部には、回転部４に対応する切欠部２４が形成されている。
以上により、本体部１に対し蓋部２が、図２（ａ）に示すように、回転部４を介してその回転中心４ａ周りに操作部１１を有する面１ａに沿った方向を含む３６０度方向に旋回自在（矢印Ａ参照）になっている。さらに、回転部４に対し蓋部２が、図３（ｂ）に示すように、ヒンジ部５周りに１８０度方向に回動自在（矢印Ｂ参照）になっている。
なお、回転部４の表面にはボールタイプのカーソル操作部４１が設けられている。
【００１４】
図４は実施形態の携帯電話機の通信・画像・制御処理を示したブロック図である。
無線部１２１は、アンテナ（図１から図３の外観には表れない内蔵アンテナ）１０１に接続されて当該アンテナ１０１を駆動制御する回路部であり、外部の通信サービス事業者が採用する無線通信方式（例えばＣＤＭＡ、ＰＤＣ、ＧＳＭ等）に基づく無線信号の変調処理、及び、端末認証処理を含む通信処理を行う。
制御部１２２は、当該携帯電話機の回路全体を制御するとともに、通信サービス事業者を経由したＷＷＷ接続の制御を行うもので、通信データ処理部１２２１、システムＲＯＭ１２２２及びオーディオインターフェース１２２３を有している。通信データ処理部１２２１は、音声復号符号化処理回路、パケットデータ生成回路、及び、パケットデータ復元回路を含み、通信サービス事業者が採用する通信プロトコルに沿ったデータ処理を行う。システムＲＯＭ１２２２には、当該携帯電話機の基幹部分を制御する基本システムが格納される。オーディオインターフェース１２２３は、通信データ処理部１２２１で処理される音声信号の入出力を行うものであって、図１から図３の外観には示されないが、当該携帯電話機に備えられたスピーカ１０１、マイク１０３及び録音用マイク１０４が接続されている。
【００１５】
アドレス・データバス処理部１２３は、制御部１２２と周辺回路（図示破線枠内の回路）とのデータの入出力タイミング等を制御・管理するものである。ＲＡＭ１２４は、電話番号を含むアドレス帳データ、ネットワーク接続に用いられるメールデータ及びインターネットアドレス、及び、撮像デバイス（カメラ部）３１にて撮像された画像データ等の各種データを記憶する。プログラムＲＯＭ１２５は、画像処理プログラムを含む各種アプリケーションプログラム等を格納する。音源ＩＣ１２６は、報知音の波形を記憶するとともに、報知音としてメロディ等を出力するものである。アンプ１２７は音源ＩＣ１２６からの出力を増幅する。図１から図３の外観には示されないが、携帯電話機に備えられた報知用スピーカ１０５は報知音を再生する。
【００１６】
表示モジュール系ドライバ１２８は、表示部２１、フラッシュ用ＬＥＤ３２、図１から図３の外観には示されないが、携帯電話機に備えられた報知用ＬＥＤ１０６を駆動するものである。撮像デバイス（カメラ部）３１は、その撮像レンズ３１１により被写体像が結像されるＣＣＤ等からなり、ＤＳＰ１２９は、この撮像デバイス（カメラ部）３１からの画像信号を処理するものである。
【００１７】
以上の通り、実施形態では、本体部１に組み付けた回転部４に対し、一面２ａに表示部２１が設けられた蓋部２をヒンジ部５により結合した折り畳み回転式携帯電話機であって、本体部１の操作部１１を有する面１ａと反対側面にカメラ部３１が向いたものとなっている。
従って、図１（ａ）及び（ｂ）と図２に示したように、本体部１の操作部１１を有する面１ａ側に、蓋部２の表示部２１を有する面２ａと反対側面を重ねた折り畳み状態にすると、使用者にとって本体部１のカメラ部３１が向こう側を向いて蓋部２の表示部２１が手前側に向いた状態となる。即ち、デジタルカメラとして片手で持つと同じような使用状態となって、表示部２１をファインダー（モニター）として見ながらカメラ部３１による風景撮影や他人撮影の使用に適した状態になる。
そして、この状態から蓋部２をヒンジ部５周りに１８０度回動させて表示部２１をカメラ部３１と同じ側に向けて、片手で持った使用者の方に表示部２１及びカメラ部３１を向けることにより、自分撮影の使用に適した状態になる。また、テレビ電話としての使用にも適した状態になる。
従って、蓋部２の裏面側にサブ表示部を必要としない。
【００１８】
さらに、例えば図２（ｂ）の状態から本体部１に対し回転部４及び蓋部２を１８０度回転させる（矢印Ａ参照）と、図３に示したように、本体部１の操作部１１と蓋部２の表示部２１が並んだ状態となって、携帯電話の使用に適した状態となる。
また、例えば図３（ｂ）の状態から回転部４に対し蓋部２を１８０度回転させる（矢印Ｂ参照）と、本体部１の操作部１１を有する面１ａ側と蓋部２の表示部２１を有する面２ａとが互いに重なり合った折り畳み状態になる。
なお、本体部１に対する回転部４の回転位置、さらに、回転部４に対する蓋部２の回転位置により、その他、様々な形成の使用状態が選べる。
【００１９】
以上のように、カメラ付き折り畳み回転式携帯電話機として、本体部１の操作部１１を有する面１ａと反対側面にカメラ部３１を設けた構成により、携帯電話機でありながら、片手で持ってデジタルカメラとしても使用できる。
しかも、蓋部２には一面に表示部２１を設けるだけで良く、サブ表示部を設ける必要がない。
さらに、様々な形態の使用状態を選択することができる。
【００２０】
なお、以上の実施形態においては、携帯電話機としたが、本発明はこれに限定されるものではなく、ＰＤＡなど他の携帯通信端末機器を含む携帯電子機器であっても良い。
また、連結部の形状も任意であり、その他、具体的な細部構造等についても適宜に変更可能であることは勿論である。
【図面の簡単な説明】
【００２１】
【図１】本発明を適用した携帯電子機器の一実施形態の構成を示す斜視図で、携帯電話機の本体部及び蓋部を重ねたデジタルカメラとしての使用状態でカメラ部側から見た図（ａ）、その反対側から見た図（ｂ）、本体部上に蓋部を起こして回転させた状態を示した図（ｃ）である。
【図２】図１（ｂ）の表示部側から見た正面図（ａ）、その上方から見た平面図（ｂ）である。
【図３】図１の携帯電話機を携帯電話として使用する状態を示すもので、本体部及び蓋部を拡げた状態の正面図（ａ）、その側方から見た側面図（ｂ）である。
【図４】実施形態の携帯電話機の通信・画像・制御処理を示したブロック図である。
【符号の説明】
【００２２】
１  本体部
１１  操作部（入力部）
２  蓋部
２１  表示部
２４  切欠部
３１  カメラ部
３２  フラッシュ用ＬＥＤ（発光部材）
３３  シャッターボタン
４  回転部
４ａ  回転中心
４１  カーソル操作部
５  ヒンジ部
【図１】
2005150799.tif 000003
【図２】
2005150799.tif 000004
【図３】
2005150799.tif 000005
【図４】
2005150799.tif 000006